(57)【要約】【課題】表示性を向上させることが可能で且つ低コストにて製造可能な表示灯付発信機を提供することを目的とする。【解決手段】  監視領域における異常を通報する表示灯付発信機１００であって、発光部３と、発光部３が発光した光を導光するライトガイド２と、表示灯付発信機１００の正面側から発光部３及びライトガイド２を覆う正面部であってライトガイド２が導光した光を表示灯付発信機１００の正面側における表示灯付発信機１００の外部に透過する領域である透過領域１３を複数備えている正面部を備える表カバー１と、を備え、ライトガイド２は、正面部に沿って、複数の透過領域１３にわたって設けられており、発光部３は、正面側に向かって導光手段に対して発光する正面発光部、を備えており、ライトガイド２は、正面発光部が発光した光を、側面側に向かってライトガイド２内に拡散させる拡散部、を備える。【選択図】図５
2019008404.tif 000002
【特許請求の範囲】
【請求項１】
監視領域における異常を通報する表示灯付発信機であって、
発光手段と、
前記発光手段が発光した光を導光する導光手段と、
前記表示灯付発信機の正面側から前記発光手段及び前記導光手段を覆う正面部であって、前記導光手段が導光した光を前記表示灯付発信機の正面側における前記表示灯付発信機の外部に透過する領域である透過領域を複数備えている前記正面部を備える表カバーと、を備え、
前記導光手段は、前記正面部に沿って、複数の前記透過領域にわたって設けられている、
表示灯付発信機。
【請求項２】
前記発光手段は、前記表示灯付発信機の正面側に向かって前記導光手段に対して発光する正面側発光手段、を備えており、
前記導光手段は、前記正面側発光手段が発光した光を、前記表示灯付発信機の側面側に向かって前記導光手段内に拡散させる拡散手段、を備える、
請求項１に記載の表示灯付発信機。
【請求項３】
前記発光手段は、前記表示灯付発信機の側面側に向かって前記導光手段に対して発光する側面側発光手段、を備えており、
前記導光手段は、
少なくとも前記側面側発光手段を収容する収容領域と、
前記収容領域の内部に設けられた入射面であって、前記側面側発光手段が発光した光を入射させる前記入射面と、を備えている、
請求項１又は２に記載の表示灯付発信機。
【請求項４】
前記表カバーの前記正面部は、前記導光手段が導光した光を前記表示灯付発信機の正面側における前記表示灯付発信機の外部に透過しない領域である中心側非透過領域であって、前記正面部に沿う方向における前記正面部の中心側に設けられている前記中心側非透過領域、を備えており、
前記正面部の複数の前記透過領域は、前記中心側非透過領域を取り囲むように弧状に設けられており、
前記導光手段は、前記表示灯付発信機を操作するための操作手段であって前記正面部に沿う方向における前記表示灯付発信機の中心側に設けられている前記操作手段を取り囲むように複数の前記透過領域に沿って環状に形成されており、
前記側面側発光手段は、少なくとも前記導光手段の周方向における相互に同じ方向に沿って発光するように、前記収容領域に複数設けられており、
複数の前記側面側発光手段は、前記導光手段の径方向における相互にずれた位置であり、且つ、前記導光手段の周方向における相互にずれた位置に設けられており、
前記入射面は、複数の前記側面側発光手段と対向するように、前記導光手段の径方向における相互にずれた位置であり、且つ、前記導光手段の周方向における相互にずれた位置に複数設けられている、
請求項３に記載の表示灯付発信機。
【請求項５】
前記表カバーの前記正面部は、前記導光手段が導光した光を前記表示灯付発信機の正面側における前記表示灯付発信機の外部に透過しない領域である中心側非透過領域であって、前記正面部に沿う方向における前記正面部の中心側に設けられている前記中心側非透過領域、を備えており、
前記正面部の複数の前記透過領域は、前記中心側非透過領域を取り囲むように弧状に設けられており、
前記導光手段は、前記表示灯付発信機を操作するための操作手段であって前記正面部に沿う方向における前記表示灯付発信機の中心側に設けられている前記操作手段を取り囲むように複数の前記透過領域に沿って環状に形成されており、
前記側面側発光手段は、
前記導光手段の周方向における第１の周方向に沿って発光する第１の側面側発光手段であって、前記収容領域に設けられている前記第１の側面側発光手段と、
前記導光手段の周方向における前記第１の周方向とは反対側の方向である第２の周方向に沿って発光する第２の側面側発光手段であって、前記収容領域に設けられている前記第２の側面側発光手段と、を備えており、
前記入射面は、
前記第１の側面側発光手段が発光した光を入射させる第１の入射面と、
前記第２の側面側発光手段が発光した光を入射させる第２の入射面と、を備えている、
請求項３に記載の表示灯付発信機。
【請求項６】
前記表カバーの前記正面部は、前記導光手段が導光した光を前記表示灯付発信機の正面側における前記表示灯付発信機の外部に透過しない領域である中心側非透過領域であって、前記正面部に沿う方向における前記正面部の中心側に設けられている前記中心側非透過領域、を備えており、
前記正面部の複数の前記透過領域は、前記中心側非透過領域を取り囲むように弧状に設けられており、
前記導光手段は、前記表示灯付発信機を操作するための操作手段であって前記正面部に沿う方向における前記表示灯付発信機の中心側に設けられている前記操作手段を取り囲むように複数の前記透過領域に沿って環状に形成されており、
前記表示灯付発信機は、前記導光手段を前記表示灯付発信機に取り付ける取付手段であって、前記正面部に沿う方向における前記導光手段の内側に設けられている前記取付手段、を備える、
請求項１から３のいずれか一項に記載の表示灯付発信機。
【発明の詳細な説明】
【技術分野】
【０００１】
本発明は、表示灯付発信機に関する。
【背景技術】
【０００２】
従来、建物等には、火災を通報する発信機の位置を表示すために発光する表示灯装置が設けられていた（特許文献１）。
【先行技術文献】
【特許文献】
【０００３】
【特許文献１】特開平９−２６５５９４号公報
【発明の概要】
【発明が解決しようとする課題】
【０００４】
ところが、この表示灯装置は、発信機とは別体として構成されており、あらゆる方向に対して発信機の位置を表示するために、発信機の隣にて設置面から比較的大きく突出して設けられていたので、例えば、建物内で表示灯装置が邪魔になってしまうことがあった。
【０００５】
そこで、従来の発信機に対して後付け可能な後付け表示灯装置が提案されていた。この後付け表示灯装置は、全体としてフラットに構成されており、また、従来の発信機に対してねじ等を用いて後付け可能となるように構成されていた。詳細には、後付け表示灯装置は、発信機を正面側に向かって露出させた状態で当該発信機の周囲を取り囲むように構成されており、また、この取り囲んでいる部分にライトガイドを備える表示灯が設けられており、また、発信機に対して後付けされた場合に、当該表示灯が発信機の周囲に沿って設けられるように構成されていた。
【０００６】
しかしながら、この後付け表示灯装置は、例えば、後付け表示灯装置の表示灯は、発信機の表示性を向上させる観点から複数設けられており、この複数の表示灯各々がライトガイドが自己のためのライトガイドを備えていたので、発信機の表示性を向上させることができるものの、部品点数が増大してしまい、後付け表示灯装置の製造コストが増大してしまう可能性があった。
【０００７】
従って、発信機の表示性を向上させつつ製造コストを減少させる観点において、改善の余地があった。
【０００８】
本発明は上記問題に鑑みてなされたもので、表示性を向上させることが可能で且つ低コストにて製造可能な表示灯付発信機を提供することを目的とする。
【課題を解決するための手段】
【０００９】
上述した課題を解決し、目的を達成するために、請求項１に記載の表示灯付発信機は、監視領域における異常を通報する表示灯付発信機であって、発光手段と、前記発光手段が発光した光を導光する導光手段と、前記表示灯付発信機の正面側から前記発光手段及び前記導光手段を覆う正面部であって、前記導光手段が導光した光を前記表示灯付発信機の正面側における前記表示灯付発信機の外部に透過する領域である透過領域を複数備えている前記正面部を備える表カバーと、を備え、前記導光手段は、前記正面部に沿って、複数の前記透過領域にわたって設けられている。
【００１０】
また、請求項２に記載の表示灯付発信機は、請求項１に記載の表示灯付発信機において、前記発光手段は、前記表示灯付発信機の正面側に向かって前記導光手段に対して発光する正面側発光手段、を備えており、前記導光手段は、前記正面側発光手段が発光した光を、前記表示灯付発信機の側面側に向かって前記導光手段内に拡散させる拡散手段、を備える。
【００１１】
また、請求項３に記載の表示灯付発信機は、請求項１又は２に記載の表示灯付発信機において、前記発光手段は、前記表示灯付発信機の側面側に向かって前記導光手段に対して発光する側面側発光手段、を備えており、前記導光手段は、少なくとも前記側面側発光手段を収容する収容領域と、前記収容領域の内部に設けられた入射面であって、前記側面側発光手段が発光した光を入射させる前記入射面と、を備えている。
【００１２】
また、請求項４に記載の表示灯付発信機は、請求項３に記載の表示灯付発信機において、前記表カバーの前記正面部は、前記導光手段が導光した光を前記表示灯付発信機の正面側における前記表示灯付発信機の外部に透過しない領域である中心側非透過領域であって、前記正面部に沿う方向における前記正面部の中心側に設けられている前記中心側非透過領域、を備えており、前記正面部の複数の前記透過領域は、前記中心側非透過領域を取り囲むように弧状に設けられており、前記導光手段は、前記表示灯付発信機を操作するための操作手段であって前記正面部に沿う方向における前記表示灯付発信機の中心側に設けられている前記操作手段を取り囲むように複数の前記透過領域に沿って環状に形成されており、前記側面側発光手段は、少なくとも前記導光手段の周方向における相互に同じ方向に沿って発光するように、前記収容領域に複数設けられており、複数の前記側面側発光手段は、前記導光手段の径方向における相互にずれた位置であり、且つ、前記導光手段の周方向における相互にずれた位置に設けられており、前記入射面は、複数の前記側面側発光手段と対向するように、前記導光手段の径方向における相互にずれた位置であり、且つ、前記導光手段の周方向における相互にずれた位置に複数設けられている。
【００１３】
また、請求項５に記載の表示灯付発信機は、請求項３に記載の表示灯付発信機において、前記表カバーの前記正面部は、前記導光手段が導光した光を前記表示灯付発信機の正面側における前記表示灯付発信機の外部に透過しない領域である中心側非透過領域であって、前記正面部に沿う方向における前記正面部の中心側に設けられている前記中心側非透過領域、を備えており、前記正面部の複数の前記透過領域は、前記中心側非透過領域を取り囲むように弧状に設けられており、前記導光手段は、前記表示灯付発信機を操作するための操作手段であって前記正面部に沿う方向における前記表示灯付発信機の中心側に設けられている前記操作手段を取り囲むように複数の前記透過領域に沿って環状に形成されており、前記側面側発光手段は、前記導光手段の周方向における第１の周方向に沿って発光する第１の側面側発光手段であって、前記収容領域に設けられている前記第１の側面側発光手段と、前記導光手段の周方向における前記第１の周方向とは反対側の方向である第２の周方向に沿って発光する第２の側面側発光手段であって、前記収容領域に設けられている前記第２の側面側発光手段と、を備えており、前記入射面は、前記第１の側面側発光手段が発光した光を入射させる第１の入射面と、前記第２の側面側発光手段が発光した光を入射させる第２の入射面と、を備えている。
【００１４】
また、請求項６に記載の表示灯付発信機は、請求項１から３のいずれか一項に記載の表示灯付発信機において、前記表カバーの前記正面部は、前記導光手段が導光した光を前記表示灯付発信機の正面側における前記表示灯付発信機の外部に透過しない領域である中心側非透過領域であって、前記正面部に沿う方向における前記正面部の中心側に設けられている前記中心側非透過領域、を備えており、前記正面部の複数の前記透過領域は、前記中心側非透過領域を取り囲むように弧状に設けられており、前記導光手段は、前記表示灯付発信機を操作するための操作手段であって前記正面部に沿う方向における前記表示灯付発信機の中心側に設けられている前記操作手段を取り囲むように複数の前記透過領域に沿って環状に形成されており、前記表示灯付発信機は、前記導光手段を前記表示灯付発信機に取り付ける取付手段であって、前記正面部に沿う方向における前記導光手段の内側に設けられている前記取付手段、を備える。
【発明の効果】
【００１５】
請求項１に記載の表示灯付発信機によれば、表カバーが透過領域を複数備えており、導光手段が複数の透過領域にわたって設けられていることにより、例えば、表カバーの複数個所から発光して表示性を向上させることができ、且つ、透過領域の数よりも導光手段の数を少なくすることができるので、部品点数を減少させて製造コストを減少させることができる。
【００１６】
請求項２に記載の表示灯付発信機によれば、正面側発光手段が発光した光を側面側に向かって導光手段内に拡散させる拡散手段を備えることにより、例えば、導光手段全体にて光を一様に導光することができるので、あらゆる方向に対して表示灯付発信機を目立たせることができ、表示性を向上させることができる。
【００１７】
請求項３に記載の表示灯付発信機によれば、導光手段が収容領域を備えることにより、例えば、少なくとも側面側発光手段を収容領域に収容することができるので、側面側発光手段を設けるために表示灯付発信機全体の厚みを厚くすることが不要となり、表示灯付発信機のコンパクト化を図ることができる。また、側面側発光手段が発光した光を入射させる入射面を備えることにより、例えば、側面側発光手段からの光を導光手段に確実に入射させることができるために、導光手段にて比較的強い強度の光を導光することができるので、あらゆる方向に対して表示灯付発信機を目立たせることができ、表示性を向上させることができる。
【００１８】
請求項４に記載の表示灯付発信機によれば、入射面が、複数の側面側発光手段と対向するように、導光手段の径方向における相互にずれた位置であり、且つ、導光手段の周方向における相互にずれた位置に複数設けられていることにより、例えば、複数の側面側発光手段を相互にずらして設けることができるので、複数の側面側発光手段を実装するための要素（例えば、端子として機能するいわゆるランド等）が干渉することを防止して、複数の側面側発光手段を密集して実装することができ、表示灯付発信機のコンパクト化を図ることができる。
【００１９】
請求項５に記載の表示灯付発信機によれば、第１の周方向に沿って発光する第１の側面側発光手段が発光した光を入射させる第１の入射面と、第２の周方向に沿って発光する第２の側面側発光手段が発光した光を入射させる第２の入射面とを備えることにより、例えば、第１の周方向及び第２の周方向の両方からの光を導光手段が導光することができるので、導光手段全体にて光を一様に導光し、且つ、比較的強い強度の光を導光することができるために、あらゆる方向に対して表示灯付発信機を目立たせることができ、表示性を向上させることができる。
【００２０】
請求項６に記載の表示灯付発信機によれば、取付手段が導光手段の内側に設けられていることにより、例えば、取付手段の形状にとらわれずに表示灯付発信機の外形を決定することができるので、表示灯付発信機の設計の自由度を向上させることができる。また、例えば、導光手段の外周部分全体において導光することができるので、表示灯付発信機のあらゆる方向に発光することができるために、あらゆる方向に対して表示灯付発信機を目立たせることができ、表示性を向上させることができる。
【図面の簡単な説明】
【００２１】
【図１】本実施の形態に係る表示灯付発信機の斜視図である。
【図２】表示灯付発信機の正面図である。
【図３】表示灯付発信機の側面図である。
【図４】図２のＡ―Ａ矢視断面図である。
【図５】正面側から見た表示灯付発信機の分解斜視図である。
【図６】裏側から見た表示灯付発信機の分解斜視図である。
【図７】表カバーが取り外された状態の表示灯付発信機の正面図である。
【図８】図７の一部の拡大図である。
【図９】図８のＢ―Ｂ矢視断面図である。
【図１０】図５の表示灯基板の拡大図である。
【発明を実施するための形態】
【００２２】
以下に、本発明に係る表示灯付発信機の実施の形態を図面に基づいて詳細に説明する。なお、この実施の形態によりこの発明が限定されるものではない。
【００２３】
〔実施の形態の基本的概念〕
まずは、実施の形態の基本的概念について説明する。実施の形態は、概略的に、表示灯付発信機に関するものである。ここで、「表示灯付発信機」とは、監視領域における異常を通報する通報手段であり、具体的には、少なくとも発光手段を備えているものであり、例えば、取付対象に取り付けられているものである。この「表示灯付発信機」は、例えば、監視領域における異常が発生した場合に、監視領域のユーザによって操作されることにより、当該異常を通報する装置である。
【００２４】
「監視領域」とは、監視の対象となっている領域であり、例えば、建物外の領域、建築物の部屋、階段、又は廊下等を含む概念である。「異常」とは、監視領域が通常とは異なる状態になることであり、例えば、監視領域における火災発生、又は有毒ガスのガス漏れ等を含む概念である。
【００２５】
「発光手段」とは、光を出力するものであり、例えば、電界発光の光源である有機ＥＬ、無機ＥＬ、又は発光ダイオード（ＬＥＤ）、放電発光の光源である蛍光灯、又は水銀ランプ、白熱発光する白熱電球、又はハロゲン球等を含む概念である。
【００２６】
「取付対象」とは、表示灯付発信機を取り付ける対象物であって、例えば、監視領域における壁、監視領域の板金等を含む概念である。「監視領域の板金」とは、監視領域に設けられている防災のための設備の板金であり、例えば、少なくとも消火栓の設備（例えば、ホース等）を収容する消火栓箱の板金、あるいは、少なくとも電鈴等を収容する機器収容箱の板金等を含む概念である。そして、この取付対象に対する表示灯付発信機の取り付けについては、例えば、表示灯付発信機を取付対象の正面側から取り付ける手法、又は、表示灯付発信機を取付対象の裏側から取り付ける手法があげられる。
【００２７】
以下の実施の形態においては、「異常」が「監視領域における火災発生」であり、「発光手段」が「発光ダイオード」であり、「取付対象」が「消火栓箱の板金」である場合において、表示灯付発信機を取付対象の正面側から取り付ける場合について説明する。
【００２８】
（構成）
まず、本実施の形態に係る表示灯付発信機の構成について説明する。図１は、本実施の形態に係る表示灯付発信機の斜視図であり、図２は、表示灯付発信機の正面図であり、図３は、表示灯付発信機の側面図であり、図４は、図２のＡ―Ａ矢視断面図であり、図５は、正面側から見た表示灯付発信機の分解斜視図であり、図６は、裏側から見た表示灯付発信機の分解斜視図である。なお、図２〜図４では、板金９１に取り付けられた状態を示している。また、以下の説明では、図２〜図４及び後述の図７〜図９に示すＸ―Ｙ―Ｚ方向が互いに直交する方向であり、具体的には、Ｙ方向が鉛直方向であって、Ｘ方向及びＺ方向が鉛直方向に対して直交する水平方向であるものとして、例えば、Ｙ方向を上下方向と称して、＋Ｙ方向を上側と称し−Ｙ方向を下側と称し、Ｘ方向を左右方向と称して、＋Ｘ方向を右側と称し−Ｘ方向を左側と称し、Ｚ方向を厚み方向と称して、＋Ｚ方向を正面側と称し−Ｚ方向を裏側と称して説明する。また、ＸＹ平面に沿っている方向（つまり、＋Ｘ方向、−Ｘ方向、＋Ｙ方向、−Ｙ方向を含む方向）を側面側と称し、この側面側と正面側とを含む方向を表側と称して、これらの「Ｘ―Ｙ―Ｚ方向」に関する用語については、図示の表示灯付発信機１００において、各構成品の相対的な位置関係（又は、方向）等を説明するための便宜的な表現であることとして、以下説明する。以下では、表示灯付発信機１００の全体の構成を説明した後に、特に特徴的な構成の詳細について説明する。
【００２９】
これら各図に示す表示灯付発信機１００は、監視領域における異常を通報する通報手段であり、具体的には、監視領域における火災発生を通報する装置であり、図４に示すように、消火栓箱の板金９１に取り付けられるものであり、例えば、図５の表カバー１、ライトガイド２、発光部３、表示灯基板４１、保護板４２、押さえばね４３、スイッチ４４、部品板５、図４の発信機基板６１、及び基板カバー６２を備える。
【００３０】
（構成‐表カバー）
表カバー１は、表側から少なくとも発光部３を覆うカバー手段であり、例えば、後述する図５の透過領域１３及び非透過領域１４が相互に一体的に構成されているものであり、また、全体として円盤形状の外形となっているものである。なお、表カバー１の詳細については、後述する。
【００３１】
（構成‐ライトガイド）
ライトガイド２は、発光部３が発光した光を導光する導光手段であり、具体的には、表カバー１に沿って透過領域１３の全体にわたって設けられているものであり、例えば、厚み方向（Ｚ方向）における表カバー１と表示灯基板４１との間に設けられているものであり、また、スイッチ４４を取り囲むように環状に形成されているものであり、また、導光性を有する任意の材料（例えば、透明の樹脂材料等）を用いて構成されている円環形状のものである。なお、ライトガイド２の詳細については、後述する。
【００３２】
（構成‐発光部）
発光部３は、光を発光する発光手段であり、具体的には、ライトガイド２に向かって発光するものであり、例えば、表示灯付発信機１００における上側（＋Ｙ方向）寄り位置の及び下側（−Ｙ方向）寄りの位置に設けられているものであり、また、表示灯基板４１に実装されている発光ダイオードである。なお、発光部３の詳細については、後述する。
【００３３】
（構成‐表示灯基板）
表示灯基板４１は、発光部３が実装される回路基板であり、具合的には、ライトガイド２を基準にして表カバー１の反対側に設けられているものであり、例えば、スイッチ４４を避けつつ発光部３の位置を結ぶように構成されており、また、ライトガイド２の左側（−Ｘ方向）の一部のみと対向する円弧状に構成されているものである。なお、表示灯基板４１の詳細については、後述する。
【００３４】
（構成‐保護板）
保護板４２は、表示灯付発信機１００を操作するための操作手段であり、具体的には、スイッチ４４を保護するためのものであり、また、異常発生時にユーザによって押下されるものである。この保護板４２の具体的な種類や構成は任意であるが、例えば、自己の一部が表カバー１の露出開口部１７を介して露出するように設けられているものである。
【００３５】
（構成‐押さえばね）
押さえばね４３は、表示灯付発信機１００を操作するための操作手段であり、具体的には、押下された状態の保護板４２を元の位置に戻すためにユーザによって操作されるものである。この押さえばね４３の具体的な種類や構成は任意であるが、例えば、スイッチ４４の周囲に設けられるように折り曲げられたものである。
【００３６】
（構成‐スイッチ）
スイッチ４４は、表示灯付発信機１００を操作するための操作手段であり、具体的には、表カバー１の正面部１１に沿う方向における表示灯付発信機１００の中心側に設けられているものであり、また、異常発生時にユーザによって保護板４２を介して押下されるものである。このスイッチ４４の具体的な種類や構成は任意であるが、例えば、押しボタンスイッチとして構成するができる。
【００３７】
（構成‐部品板）
部品板５は、裏側（−Ｚ方向）から少なくとも発光部３を覆うカバー手段であり、例えば、全体としては円形の裏カバーであり、また、樹脂製のものである。なお、部品板５の詳細については、後述する。
【００３８】
（構成‐発信機基板）
図４の発信機基板６１は、表示灯付発信機１００を動作させるための電気回路が実装されている発信機回路基板である。この発信機基板６１の具体的な種類や構成は任意であるが、例えば、全体としては矩形形状となっているものであって、任意の手法（例えば、ねじでの螺合等）を用いて部品板５の裏側に固定されるものである。
【００３９】
（構成‐基板カバー）
基板カバー６２は、裏側（−Ｚ方向）から発信機基板６１を覆うカバー手段である。この基板カバー６２の具体的な構成や種類は任意であるが、例えば、全体としては矩形形状となっているものであり、また、部品板５に対して係合して取り付けられるものである。
【００４０】
（構成‐詳細）
次に、表カバー１、ライトガイド２、発光部３、表示灯基板４１、及び部品板５の詳細について説明する。
【００４１】
（構成‐詳細‐表カバー）
図２及び図３の表カバー１は、正面部１１、側面部１２、透過領域１３、非透過領域１４、図５の開閉開口部１５、表示板１６、及び露出開口部１７を備える。
【００４２】
（構成‐表カバー‐正面部）
図２及び図３の正面部１１は、表示灯付発信機１００の正面側（＋Ｚ方向）から発光部３を覆うものであり、また、表カバー１の外形の一部を構成するものであり、例えば、ＸＹ平面に沿っている円形のものであって、外側の縁が僅かに湾曲して側面部１２に続いているものであり、また、側面部１２と一体的に構成されているものである。
【００４３】
（構成‐詳細‐表カバー‐側面部）
図２及び図３の側面部１２は、表示灯付発信機１００の側面側から発光部３を覆うものであり、また、表カバー１の外形の他の一部を構成するものであり、例えば、正面部１１の外側の縁から一部湾曲して裏側（−Ｚ方向）に向かって伸びているものであって、正面部１１から続いているものであり、また、正面部１１と一体的に構成されているものである。
【００４４】
（構成‐詳細‐表カバー‐透過領域）
図２及び図３の透過領域１３は、発光部３が発光した光を表示灯付発信機１００の表側における表示灯付発信機１００の外部に透過する領域であり、特に、ライトガイド２が導光した光を表示灯付発信機１００の少なくとも正面側（＋Ｚ方向）における表示灯付発信機１００の外部に透過する領域であり、例えば、正面側（＋Ｚ方向）に加えて側面側における表示灯付発信機１００の外部に光を透過する領域である。また、透過領域１３は、例えば、正面部１１及び側面部１２に設けられている領域であり、一例としては、図２の中心側非透過領域１４１を取り囲んでいる正面部１１の外周側から図３の側面部１２にわたって設けられている領域である。また、透過領域１３は、例えば、発光部３からの光を任意の色（例えば、赤色）で透過領域１３全体に拡散するように全体が赤色の半透明となっている領域であり、また、正面側（＋Ｚ方向）から見た場合に、中心側非透過領域１４１を取り囲むように全体として弧状に設けられている２個の領域であり、一例としては、図２の左側透過領域１３１、及び右側透過領域１３２を含む領域である。ここで、「弧状」とは、全体としては一部の不連続部分（例えば、透過領域１３が存在していない部分）を介して環状になっている形状であり、つまり、いわゆる環状とは異なる形状であり、例えば、多角形の外周の一部に対応する形状、あるいは、円形又は楕円形の外周の一部の形状に対応する円弧等を含む概念である。
【００４５】
左側透過領域１３１及び右側透過領域１３２は、円弧状のものであり、また、正面側（＋Ｚ方向）から見た場合に、上側非透過領域１４２及び下側非透過領域１４３を隔てて正面部１１の外周側に設けられている領域であり、また、当該外周側から図３の側面部１２の側面側非透過領域１４４側にわたって設けられている領域である。
【００４６】
（構成‐詳細‐表カバー‐非透過領域）
図２及び図３の非透過領域１４は、発光部３が発光した光を表示灯付発信機１００の表側における表示灯付発信機１００の外部に透過しない領域であり、例えば、正面部１１及び側面部１２に設けられている領域であり、また、外面が赤色となっている領域であり、一例としては、中心側非透過領域１４１、上側非透過領域１４２、下側非透過領域１４３、及び側面側非透過領域１４４を含む領域である。
【００４７】
中心側非透過領域１４１は、正面部１１に設けられている領域であり、具体的には、正面部１１に沿う方向（ＸＹ平面に沿う方向）における正面部１１の中心側に設けられている領域である。また、上側非透過領域１４２は、中心側非透過領域１４１から連続して設けられている領域であり、具体的には、中心側非透過領域１４１の上側（＋Ｙ方向）において正面部１１から側面部１２にわたって設けられている領域である。また、下側非透過領域１４３は、中心側非透過領域１４１から連続して設けられている領域であり、具体的には、中心側非透過領域１４１の下側（−Ｙ方向）において正面部１１から側面部１２にわたって設けられている領域である。また、側面側非透過領域１４４は、上側非透過領域１４２及び下側非透過領域１４３から連続して設けられている領域であり、具体的には、図３に示すように側面部１２の全周にわたって設けられている領域である。
【００４８】
そして、これらの透過領域１３及び非透過領域１４を含む表カバー１の外形の成形手法は任意であるが、例えば、透光性及び非透光性の樹脂材料を用いていわゆる二色成形にて成形することができる。
【００４９】
（構成‐詳細‐表カバー‐開閉開口部）
図５の開閉開口部１５は、表示灯付発信機１００の内部に通じる開口である連通開口であり、具体的には、当該開閉開口部１５を介して表示灯付発信機１００が操作されるものであり、例えば、正面部１１に設けられているものであり、また、矩形のものである。
【００５０】
（構成‐詳細‐表カバー‐表示板）
図５の表示板１６は、開閉開口部１５を開閉する開閉板であり、例えば、正面部１１に設けられているものであり、また、矩形のものである。
【００５１】
（構成‐詳細‐表カバー‐露出開口部）
図５の露出開口部１７は、ユーザが保護板４２を押圧できるように保護板４２を露出させる露出開口であり、例えば、正面部１１に設けられているものであり、一例としては、円形のものである。
【００５２】
（構成‐詳細‐ライトガイド）
図５のライトガイド２は、例えば、表カバー１の正面部１１に沿って、左側透過領域１３１及び右側透過領域１３２にわたって設けられているものであり、また、スイッチ４４を取り囲むように左側透過領域１３１及び右側透過領域１３２に沿って環状に形成されているものである。図７は、表カバーが取り外された状態の表示灯付発信機の正面図であり、図８は、図７の一部の拡大図であり、図９は、図８のＢ―Ｂ矢視断面図である。なお、図８については、表示灯付発信機１００におけるライトガイド２の内側の部分については、説明の便宜上、一部の図示を省略している。ライトガイド２は、例えば、図７の上側収容領域２１、及び下側収容領域２２を備える。
【００５３】
（構成‐詳細‐ライトガイド‐上側収容領域）
図７の上側収容領域２１は、少なくとも後述する上側発光部３１を収容する発光部収容手段であり、例えば、厚み方向（Ｚ方向）において、表カバー１の上側非透過領域１４２及び表示灯基板４１の上側（＋Ｙ方向）の端部の間に設けられているものであり、また、ライトガイド２における裏側（−Ｚ方向）に設けられる凹部である。上側収容領域２１は、例えば、図８及び図９の拡散部７１、及び入射部７２を備える。
【００５４】
（構成‐詳細‐ライトガイド‐上側収容領域‐拡散部）
拡散部７１は、後述する正面発光部８１が正面側（＋Ｚ方向）に向かって発光した光を、表示灯付発信機１００の側面側に向かってライトガイド２内に拡散させる拡散手段である。この拡散部７１の具体的な構成や種類は任意であるが、例えば、上側収容領域２１を表側から区画しているライトガイド２の一部に設けられている溝形状（なお、上側収容領域２１側から見た場合には、突出形状）のものとして構成されており、具体的には、正面発光部８１と対向している部分である溝中心部７１ａを基準にしてライトガイド２の周方向において溝中心部７１ａから離れるに従って表側（＋Ｚ方向）に向かって傾斜する溝形状のものとして構成されている。
【００５５】
（構成‐詳細‐ライトガイド‐上側収容領域‐入射部）
入射部７２は、後述する側面発光部８２が側面側に向かって発光した光を入射させる入射手段であり、具体的には、上側収容領域２１の内部に設けられた入射面である。入射部７２の具体的な構成や種類は任意であるが、例えば、側面発光部８２と対向するように、ライトガイド２の径方向における相互にずれた位置であり、且つ、ライトガイド２の周方向における相互にずれた位置に設けられるように、全体としては階段状に構成されており、一例としては、第１外周入射部７２１、第１内周入射部７２２、第２外周入射部７２３、及び第２内周入射部７２４を備える。
【００５６】
第１外周入射部７２１は、後述の第１外周側面発光部８２１が発光した光を入射させる第１の入射面であり、例えば、ライトガイド２の径方向における第１内周入射部７２２よりも外側に設けられているものであり、且つ、ライトガイド２の周方向における第１内周入射部７２２より時計回り方向側に設けられているものである。なお、「時計回り方向」とは、表示灯付発信機１００を正面側（＋Ｚ）から見た場合における、ライトガイド２の周方向の時計回りの方向を示しており、「第２の周方向」に相当するものとして、以下説明する。
【００５７】
第１内周入射部７２２は、第１内周側面発光部８２２が発光した光を入射させる第１の入射面であり、例えば、ライトガイド２の径方向における第１外周入射部７２１よりも内側に設けられているものであり、且つ、ライトガイド２の周方向における第１外周入射部７２１より反時計回り方向側に設けられているものである。なお、「反時計回り方向」とは、表示灯付発信機１００を正面側（＋Ｚ）から見た場合における、ライトガイド２の周方向の反時計回りの方向を示しており、「第１の周方向」に相当するものとして、以下説明する。
【００５８】
第２外周入射部７２３は、第２外周側面発光部８２３が発光した光を入射させる第２の入射面であり、例えば、ライトガイド２の径方向における第２内周入射部７２４よりも外側に設けられているものであり、且つ、ライトガイド２の周方向における第２内周入射部７２４より反時計回り方向側に設けられているものである。
【００５９】
第２内周入射部７２４は、第２内周側面発光部８２４が発光した光を入射させる第２の入射面であり、例えば、ライトガイド２の径方向における第２外周入射部７２３よりも内側に設けられているものであり、且つ、ライトガイド２の周方向における第２外周入射部７２３より時計回り方向側に設けられているものである。
【００６０】
（構成‐詳細‐ライトガイド‐下側収容領域）
図７の下側収容領域２２は、少なくとも後述する下側発光部３２を収容する発光部収容手段であり、例えば、上側収容領域２１と同様にして構成されている。
【００６１】
（構成‐ライトガイド‐ライトガイド側位置決め部）
図７のライトガイド側位置決め部２３は、ライトガイド２を表示灯付発信機１００に位置決めするための位置決め手段であり、具体的には、ライトガイド２を部品板５に位置決めするためのものであり、例えば、部品板５の後述する部品板側位置決め部５４の突起が挿通される位置決め穴であり、一例としては、上側収容領域２１及び下側収容領域２２の付近に合計２か所設けられているものである。
【００６２】
（構成‐ライトガイド‐ライトガイド側取付部）
ライトガイド側取付部２４は、ライトガイド２を表示灯付発信機１００に取り付ける取付手段であり、具体的には、ライトガイド２の径方向（つまり、表カバー１の正面部１１に沿う方向）におけるライトガイド２の内側に設けられているものであり、例えば、ライトガイド用固定ねじＳ１２が螺合するものであり、一例としては、ライトガイド用固定ねじＳ１２が通される通し穴を備えるものである。
【００６３】
ここで、ライトガイド用固定ねじＳ１２は、ライトガイド２を部品板５に螺合により取り付けて固定する螺合手段であって、例えば、ライトガイド２のライトガイド側取付部２４及び部品板５の後述する部品板側ライトガイド用螺合部５３に対して連続的に螺合するものである。
【００６４】
（構成‐詳細‐発光部）
図７の発光部３は、例えば、ライトガイド２の周方向において離れている表示灯基板４１上の複数の位置に設けられているものであり、また、表示灯基板４１の上側（＋Ｙ方向）の端部及び下側（−Ｙ方向）の端部に設けられているものであり、また、発光部３は、例えば、上側発光部３１、及び下側発光部３２を備える。
【００６５】
（構成‐詳細‐発光部‐上側発光部）
上側発光部３１は、上側収容領域２１に収容されている上側発光手段であり、例えば、図８及び図９の正面発光部８１、及び側面発光部８２を備える。
【００６６】
（構成‐詳細‐発光部‐上側発光部‐正面発光部）
正面発光部８１は、表示灯付発信機１００の正面側（＋Ｚ方向）に向かってライトガイド２に対して発光する正面側発光手段であり、具体的には、ライトガイド２の拡散部７１に対して発光するものである。また、正面発光部８１は、例えば、表示灯基板４１の上側（＋Ｙ方向）の端部に実装されているものであり、一例としては、表カバー１の正面部１１に沿う方向における上側収容領域２１の中央に設けられているものである。
【００６７】
なお、正面発光部８１の表示灯基板４１への実装手法は任意であるが、例えば、表示灯基板４１に端子（つまり、いわゆるランド）が設けられており、正面発光部８１を表示灯基板４１の端子に半田を用いて電気的に接続することにより実装することとする。また、側面発光部８２の実装手法についても同様とする。
【００６８】
（構成‐詳細‐発光部‐上側発光部‐側面発光部）
側面発光部８２は、表示灯付発信機１００の側面側に向かってライトガイド２に対して発光する側面側発光手段であり、具体的には、ライトガイド２の入射部７２に対して発光するものである。また、側面発光部８２は、例えば、表示灯基板４１の上側（＋Ｙ方向）の端部に実装されているものであり、一例としては、第１外周側面発光部８２１、第１内周側面発光部８２２、第２外周側面発光部８２３、及び第２内周側面発光部８２４を備える。
【００６９】
第１外周側面発光部８２１及び第１内周側面発光部８２２は、第１の側面側発光手段であって、ライトガイド２の周方向における相互に同一な方向に向かって発光するように設けられているものであり、具体的には、ライトガイド２の周方向における反時計回り方向に向かって発光するものであり、例えば、ライトガイド２の径方向における相互にずれた位置であり、且つ、ライトガイド２の周方向における相互にずれた位置に設けられているものである。また、第１外周側面発光部８２１は、例えば、第１外周入射部７２１と対向して設けられているものであり、第１内周側面発光部８２２は、例えば、第１内周入射部７２２と対向して設けられているものである。
【００７０】
第２外周側面発光部８２３及び第２内周側面発光部８２４は、第２の側面側発光手段であって、ライトガイド２の周方向における相互に同一な方向に向かって発光するように設けられているものであり、具体的には、ライトガイド２の周方向における時計回り方向に向かって発光するものであり、例えば、ライトガイド２の径方向における相互にずれた位置であり、且つ、ライトガイド２の周方向における相互にずれた位置に設けられているものである。また、第２外周側面発光部８２３は、例えば、第２外周入射部７２３と対向して設けられているものであり、第２内周側面発光部８２４は、例えば、第２内周入射部７２４と対向して設けられているものである。
【００７１】
（構成‐詳細‐発光部‐上側発光部）
図７の下側発光部３２は、下側収容領域２２に収容されている下側発光手段であり、例えば、上側発光部３１と同様にして構成されている。
【００７２】
（構成‐詳細‐表示灯基板）
図１０は、図５の表示灯基板の拡大図である。表示灯基板４１は、例えば、スイッチ４４を避けつつ上側発光部３１の位置と下側発光部３２の位置とを相互に結ぶように構成されているものであり、例えば、図７の反射層４１１、及び図５及び図６の基板側位置決め部４１２を備える。
【００７３】
（構成‐表示灯基板‐反射層）
反射層４１１は、ライトガイド２と対向している反射手段であり、具体的には、ライトガイド２が導光した光を、表示灯付発信機１００の正面側（＋Ｚ方向）に向かって反射させるものであり、例えば、光の反射率が向上するよう全面が白色になるように形成された層であり、表示灯基板４１における正面側（＋Ｚ方向）に設けられている層である。
【００７４】
（構成‐表示灯基板‐基板側位置決め部）
基板側位置決め部４１２は、表示灯基板４を表示灯付発信機１００に位置決めするための位置決め手段であり、具体的には、表示灯基板４を部品板５に位置決めするためのものであり、例えば、部品板５の後述する部品板側位置決め部５４の突起が挿通される位置決め穴であり、一例としては、表示灯基板４１における上側（＋Ｙ方向）の端部及び下側（−Ｙ方向）の端部に合計２か所設けられているものである。
【００７５】
（構成‐詳細‐部品板）
部品板５は、例えば、図５の基板対向部５１、基板非対向部５２、部品板側ライトガイド用螺合部５３、及び部品板側位置決め部５４を備える。
【００７６】
（構成‐詳細‐部品板‐基板対向部）
基板対向部５１は、表示灯基板４１を介してライトガイド２と対向する第１の対向部分であり、例えば、部品板５における正面側（＋Ｚ方向）に露出している左側（−Ｘ方向）の部分であり、基板非対向部５２に対して凹んでいる部分である。なお、ここでの基板非対向部５２に対する基板対向部５１の凹みの深さは任意であるが、例えば、基板対向部５１によるライトガイド２のがたつきを防止するために、基板対向部５１を収容できるように基板対向部５１の厚さに対応する深さとなっている。
【００７７】
（構成‐詳細‐部品板‐基板非対向部）
基板非対向部５２は、表示灯基板４１を介さずにライトガイド２と対向する第２の対向部分であり、例えば、部品板５における正面側（＋Ｚ方向）に露出している右側（＋Ｘ方向）の部分である。少なくともこの基板非対向部５２の色については、任意の色を採用することができるが、例えば、表示灯基板４１の反射層４１１と同様に、ライトガイド２が導光した光を、基板非対向部５２にて表示灯付発信機１００の正面側（＋Ｚ方向）に向かって反射させるために、光の反射率が向上するよう白色（つまり、表示灯基板４１の反射層４１１と同様な色）が採用されている。
【００７８】
（構成‐詳細‐部品板‐部品板側ライトガイド用螺合部）
部品板側ライトガイド用螺合部５３は、ライトガイド２を表示灯付発信機１００に取り付ける取付手段であり、特に、ライトガイド２を部品板５に取り付ける取付手段であり、具体的には、ライトガイド用固定ねじＳ１２が螺合する被螺合手段であり、例えば、ライトガイド用固定ねじＳ１２が螺合するねじ穴を備えるものである。
【００７９】
（構成‐詳細‐部品板‐部品板側位置決め部）
部品板側位置決め部５４は、ライトガイド２及び表示灯基板４１を表示灯付発信機１００に位置決めするための位置決め手段であり、具体的には、ライトガイド２及び表示灯基板４１を部品板５に位置決めするためのものであり、例えば、ライトガイド側位置決め部２３及び基板側位置決め部４１２に連続的に挿通される突起であり、合計２か所に設けられているものである。
【００８０】
（組み立て及び設置方法）
次に、表示灯付発信機１００の組み立て及び設置方法について説明する。
【００８１】
まず、部品板５に対して表示灯基板４１を位置決めする。具体的な手法は任意であるが、例えば、部品板５の部品板側位置決め部５４の突起が表示灯基板４１の基板側位置決め部４１２の位置決め穴に挿通されるように、部品板５に対して、表示灯基板４１を正面側（＋Ｚ方向）から重ねて位置決めする。この場合、表示灯基板４１は、基板対向部５１と対向することになる。
【００８２】
次に、部品板５に対してライトガイド２を位置決めする。具体的な手法は任意であるが、例えば、部品板５の部品板側位置決め部５４の突起がライトガイド２のライトガイド側位置決め部２３の位置決め穴に挿通されるように、表示灯基板４１が重ねられている部品板５に対して、ライトガイド２を正面側（＋Ｚ方向）から重ねて位置決めをする。この場合、ライトガイド２は、表示灯基板４１を介して基板対向部５１と対向し、且つ、表示灯基板４１を介さずに直接的に基板非対向部５２と対向することになる。
【００８３】
次に、部品板５に対してライトガイド２及び表示灯基板４１を固定する。具体的な手法は任意であるが、例えば、ライトガイド用固定ねじＳ１２を、ライトガイド２のライトガイド側取付部２４の通し穴を通して、部品板５の部品板側ライトガイド用螺合部５３のねじ穴と螺合して固定する。この場合、ライトガイド２は、ライトガイド用固定ねじＳ１２の螺合により、部品板５に対して固定されて取り付けられることになる。また、この場合、ライトガイド２は、部品板５とライトガイド２との間に挟まれることにより、部品板５に対して固定されて取り付けられることになる。
【００８４】
次に、部品板５に対して、図５の保護板４２、押さえばね４３、スイッチ４４、図４の発信機基板６１、及び基板カバー６２を、任意の固定手段（例えば、ねじでの螺合、係合構造での係合、あるいは、嵌合構造での嵌合等）を用いて、取り付ける。
【００８５】
次に、図４の板金９１の開口部に部品板５の一部を挿入した上で、部品板用固定ねじＳ１１を用いて、板金９１に対して当該部品板５を螺合して取り付ける。
【００８６】
次に、部品板５に対して表カバー１を、任意の固定手段（例えば、ねじでの螺合、あるいは、係合構造での係合等）を用いて、取り付ける。これにて、表示灯付発信機１００の組み立て及び設置が終了する。
【００８７】
（発光）
次に、表示灯付発信機１００による発光について説明する。ここでは、例えば、発光部３がライトガイド２に対して発光した場合の光の光路について説明するが、上側発光部３１からの光の光路と下側発光部３２からの光の光路とは相互に同様であるので、上側発光部３１からの光の光路についてのみについて説明する。
【００８８】
まず、図８及び図９の正面発光部８１は、表示灯付発信機１００の正面側（＋Ｚ方向）に向かって発光する。この場合、正面発光部８１からの光は、拡散部７１に照射されて、この拡散部７１にて方向が変更されてライトガイド２の時計回り方向及び反時計回り方向に沿って、ライトガイド２全体に拡散されることになる。つまり、この場合、正面発光部８１からの光を、ライトガイド２が導光することになる。
【００８９】
また、側面発光部８２は、表示灯付発信機１００の側面側に向かって発光する。この場合、側面発光部８２からの光は、入射部７２を介してライトガイド２に入射して、ライトガイド全体に導光されることになる。つまり、この場合、側面発光部８２からの光を、ライトガイド２が導光することになる。
【００９０】
この後、ライトガイド２が導光した光は、表カバー１の透過領域１３を介して、表示灯付発信機１００の表側における表示灯付発信機１００の外部に出力されることになる。この場合、特に、前述のように図３の透過領域１３が表カバー１の正面部１１に加えて側面部１２にも設けられているので、正面部１１に加えて側面部１２からも発光させることができるので、ユーザは、表示灯付発信機１００の一部が赤色にて発光していることを、表示灯付発信機１００の表側のあらゆる位置から視認して確認することが可能となる。
【００９１】
（通報動作）
次に、表示灯付発信機１００が火災発生を通報する動作である通報動作について説明する。ここでは、例えば、ユーザが露出開口部１７を介して保護板４２を押下した場合の通報動作について説明するが、この通報動作は従来と同様であるので、概要のみについて説明する。
【００９２】
ユーザが露出開口部１７を介して保護板４２を押下した場合、保護板４２と共にスイッチ４４が押下されることになり、発信機基板６１の電気回路は、不図示の通信線を介して、防災受信機に対して火災を通報する信号である火災通報信号を送信して通報する。このようにして、通報動作が行われる。
【００９３】
（透過領域の形状による効果）
前述のように図２の透過領域１３が、横方向（Ｘ方向）において円弧状の２つの左側透過領域１３１及び右側透過領域１３２を備えているので、表示灯付発信機１００の横方向（Ｘ方向）からの視認性が要求される所定の規格（例えば、消防法に関連する規格等）を確実に満たした上で、複数個所の発光により、１か所のみの発光に比べて表示灯付発信機１００を目立たせることができる。
【００９４】
また、図２の表カバー１における発光部３と対向する領域が、上側非透過領域１４２及び下側非透過領域１４３となっているので、発光部３と対向する領域を遮光することにより、発光部３の光量が強くなり発光状態がまだらになりやすい領域を遮光することができるので、表カバー１の透過領域１３全体を一様に発光させることができ、発光している透過領域１３を含む表示灯付発信機１００の全体の意匠性を向上させることができる。特に、表示灯付発信機１００の内部における上側非透過領域１４２及び下側非透過領域１４３と対向する領域を、発光部３を設ける領域として用いることができるので、発光部３を設ける領域を２か所に集中することができ、表示灯付発信機１００の内部のスペースを有効利用することにより、表示灯付発信機１００のコンパクト化を図ることが可能となる。
【００９５】
（実施の形態の効果）
このように本実施の形態によれば、表カバー１が透過領域１３を複数備えており、ライトガイド２が複数の透過領域１３にわたって設けられていることにより、例えば、表カバー１の複数個所から発光して表示性を向上させることができ、且つ、透過領域１３の数よりもライトガイド２の数を少なくすることができるので、部品点数を減少させて製造コストを減少させることができる。
【００９６】
また、正面発光部８１が発光した光を側面側に向かってライトガイド２内に拡散させる拡散部７１を備えることにより、例えば、ライトガイド２全体にて光を一様に導光することができるので、あらゆる方向に対して表示灯付発信機１００を目立たせることができ、表示性を向上させることができる。
【００９７】
また、ライトガイド２が上側発光部３１を備えることにより、例えば、少なくとも側面発光部８２を上側発光部３１に収容することができるので、側面発光部８２を設けるために表示灯付発信機１００全体の厚みを厚くすることが不要となり、表示灯付発信機１００のコンパクト化を図ることができる。また、側面発光部８２が発光した光を入射させる入射部７２を備えることにより、例えば、側面発光部８２からの光をライトガイド２に確実に入射させることができるために、ライトガイド２にて比較的強い強度の光を導光することができるので、あらゆる方向に対して表示灯付発信機１００を目立たせることができ、表示性を向上させることができる。
【００９８】
また、入射部７２が、複数の側面発光部８２と対向するように、ライトガイド２の径方向における相互にずれた位置であり、且つ、ライトガイド２の周方向における相互にずれた位置に複数設けられていることにより、例えば、複数の側面発光部８２を相互にずらして設けることができるので、複数の側面発光部８２を実装するための要素（例えば、端子として機能するいわゆるランド等）が干渉することを防止して、複数の側面発光部８２を密集して実装することができ、表示灯付発信機１００のコンパクト化を図ることができる。
【００９９】
また、反時計回り方向に沿って発光する第１外周側面発光部８２１及び第１内周側面発光部８２２が発光した光を入射させる第１外周入射部７２１及び第１内周入射部７２２と、時計回り方向に沿って発光する第２外周側面発光部８２３及び第２内周側面発光部８２４が発光した光を入射させる第２外周入射部７２３及び第２内周入射部７２４とを備えることにより、例えば、反時計回り方向及び時計回り方向の両方からの光をライトガイド２が導光することができるので、ライトガイド２全体にて光を一様に導光し、且つ、比較的強い強度の光を導光することができるために、あらゆる方向に対して表示灯付発信機１００を目立たせることができ、表示性を向上させることができる。
【０１００】
また、ライトガイド側取付部２４がライトガイド２の内側に設けられていることにより、例えば、ライトガイド側取付部２４の形状にとらわれずに表示灯付発信機１００の外形
を決定することができるので、表示灯付発信機１００の設計の自由度を向上させることができる。また、例えば、ライトガイド２の外周部分全体において導光することができるので、表示灯付発信機１００のあらゆる方向に発光することができるために、あらゆる方向に対して表示灯付発信機１００を目立たせることができ、表示性を向上させることができる。
【０１０１】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【０１０２】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【０１０３】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。
【０１０４】
（表カバーについて）
また、上記実施の形態において、表カバー１の透過領域１３及び非透過領域１４の構成を任意に変更してもよい。例えば、透過領域１３を、正面部１１及び側面部１２のうちのいずれか一方のみに設けてもよい。また、透過領域１３について、環状とならない限りにおいて、任意の形状としてもよい。また、透過領域１３を３つ以上の領域としてもよい。
【０１０５】
（ライトガイドについて（その１））
また、上記実施の形態において、ライトガイド２の全体の構成を、複数の透過領域にわたる限りにおいて、任意に変更してもよい。例えば、ライトガイド２を任意の個数に分割して、２個以上のライトガイドとして構成してもよい。また、例えば、ライトガイド２を、円環形状以外の任意の形状（一例としては、三角形、矩形等）としてもよい。
【０１０６】
（ライトガイドについて（その２））
また、図９の拡散部７１と正面発光部８１との間の隙間を広げた上で、この隙間に拡散手段として機能する反射材を設けて、正面発光部８１から光をこの反射材にてライトガイド２全体に拡散してもよい。
【０１０７】
（発光部について）
また、発光部３に含まれる各発光部（特に、側面発光部８２）を、正面部１１に沿う方向と直交する方向（Ｚ方向）に相互にずれた位置に複数設けてもよく、つまり、表示灯基板４１から離して設けてもよい。この場合、当該各発光部として、リード線を備える発光ダイオードを用いてもよい。このように構成した場合、複数の各発光手段が、正面部１１に沿う方向と直交する方向（Ｚ方向）に相互にずれた位置に設けられていることにより、例えば、複数の各発光手段を表カバー１の正面部１１に沿う方向に並べる必要がないので、表示灯付発信機１００における正面部１１に沿う方向の大きさを小さくすることができ、表示灯付発信機１００のコンパクト化を図ることができる。
【０１０８】
（表示灯付発信機の取り付けについて）
また、上記実施の形態の表示灯付発信機１００を、板金９１に対して任意に取り付けてもよい。具体的には、表示灯付発信機１００を、板金９１に対して正面側（＋Ｚ方向）から任意の取付アダプタを介して取り付けてもよく、あるいは、板金９１に対して裏側（−Ｚ方向）から任意の手段を用いて取り付けてもよい。
【０１０９】
（部品又は特徴部分について）
また、上記実施の形態の表示灯付発信機１００において、部品又は特徴部分の個数を任意に変更したり、当該部品又は特徴部分を任意に省略してもよい。
【０１１０】
（適用について）
また、上記実施の形態の表示灯付発信機１００の少なくとも一部の特徴部分を、発信機以外の防災機器（以下、「他の防災機器」）、あるいは、防災機器以外の任意の機器（以下、「他の機器」）に適用してもよい。例えば、表示灯付発信機１００における光を出力するための構成を「他の防災機器」又は「他の機器」に設けてもよい。つまり、例えば、表示灯付発信機１００における中心側に設置する機器を、発信機以外の「他の防災機器」又は「他の機器」に置き換えてもよい。
【０１１１】
（付記）
付記１の表示灯付発信機は、監視領域における異常を通報する表示灯付発信機であって、発光手段と、前記発光手段が発光した光を導光する導光手段と、前記表示灯付発信機の正面側から前記発光手段及び前記導光手段を覆う正面部であって、前記導光手段が導光した光を前記表示灯付発信機の正面側における前記表示灯付発信機の外部に透過する領域である透過領域を複数備えている前記正面部を備える表カバーと、を備え、前記導光手段は、前記正面部に沿って、複数の前記透過領域にわたって設けられている。
【０１１２】
付記２の表示灯付発信機は、付記１に記載の表示灯付発信機において、前記発光手段は、前記表示灯付発信機の正面側に向かって前記導光手段に対して発光する正面側発光手段、を備えており、前記導光手段は、前記正面側発光手段が発光した光を、前記表示灯付発信機の側面側に向かって前記導光手段内に拡散させる拡散手段、を備える。
【０１１３】
付記３の表示灯付発信機は、付記１又は２に記載の表示灯付発信機において、前記発光手段は、前記表示灯付発信機の側面側に向かって前記導光手段に対して発光する側面側発光手段、を備えており、前記導光手段は、少なくとも前記側面側発光手段を収容する収容領域と、前記収容領域の内部に設けられた入射面であって、前記側面側発光手段が発光した光を入射させる前記入射面と、を備えている。
【０１１４】
付記４の表示灯付発信機は、付記３に記載の表示灯付発信機において、前記表カバーの前記正面部は、前記導光手段が導光した光を前記表示灯付発信機の正面側における前記表示灯付発信機の外部に透過しない領域である中心側非透過領域であって、前記正面部に沿う方向における前記正面部の中心側に設けられている前記中心側非透過領域、を備えており、前記正面部の複数の前記透過領域は、前記中心側非透過領域を取り囲むように弧状に設けられており、前記導光手段は、前記表示灯付発信機を操作するための操作手段であって前記正面部に沿う方向における前記表示灯付発信機の中心側に設けられている前記操作手段を取り囲むように複数の前記透過領域に沿って環状に形成されており、前記側面側発光手段は、少なくとも前記導光手段の周方向における相互に同じ方向に沿って発光するように、前記収容領域に複数設けられており、複数の前記側面側発光手段は、前記導光手段の径方向における相互にずれた位置であり、且つ、前記導光手段の周方向における相互にずれた位置に設けられており、前記入射面は、複数の前記側面側発光手段と対向するように、前記導光手段の径方向における相互にずれた位置であり、且つ、前記導光手段の周方向における相互にずれた位置に複数設けられている。
【０１１５】
付記５の表示灯付発信機は、付記３に記載の表示灯付発信機において、前記表カバーの前記正面部は、前記導光手段が導光した光を前記表示灯付発信機の正面側における前記表示灯付発信機の外部に透過しない領域である中心側非透過領域であって、前記正面部に沿う方向における前記正面部の中心側に設けられている前記中心側非透過領域、を備えており、前記正面部の複数の前記透過領域は、前記中心側非透過領域を取り囲むように弧状に設けられており、前記導光手段は、前記表示灯付発信機を操作するための操作手段であって前記正面部に沿う方向における前記表示灯付発信機の中心側に設けられている前記操作手段を取り囲むように複数の前記透過領域に沿って環状に形成されており、前記側面側発光手段は、前記導光手段の周方向における第１の周方向に沿って発光する第１の側面側発光手段であって、前記収容領域に設けられている前記第１の側面側発光手段と、前記導光手段の周方向における前記第１の周方向とは反対側の方向である第２の周方向に沿って発光する第２の側面側発光手段であって、前記収容領域に設けられている前記第２の側面側発光手段と、を備えており、前記入射面は、前記第１の側面側発光手段が発光した光を入射させる第１の入射面と、前記第２の側面側発光手段が発光した光を入射させる第２の入射面と、を備えている。
【０１１６】
付記６の表示灯付発信機は、付記１から３のいずれか一項に記載の表示灯付発信機において、前記表カバーの前記正面部は、前記導光手段が導光した光を前記表示灯付発信機の正面側における前記表示灯付発信機の外部に透過しない領域である中心側非透過領域であって、前記正面部に沿う方向における前記正面部の中心側に設けられている前記中心側非透過領域、を備えており、前記正面部の複数の前記透過領域は、前記中心側非透過領域を取り囲むように弧状に設けられており、前記導光手段は、前記表示灯付発信機を操作するための操作手段であって前記正面部に沿う方向における前記表示灯付発信機の中心側に設けられている前記操作手段を取り囲むように複数の前記透過領域に沿って環状に形成されており、前記表示灯付発信機は、前記導光手段を前記表示灯付発信機に取り付ける取付手段であって、前記正面部に沿う方向における前記導光手段の内側に設けられている前記取付手段、を備える。
【０１１７】
（付記の効果）
付記１に記載の表示灯付発信機によれば、表カバーが透過領域を複数備えており、導光手段が複数の透過領域にわたって設けられていることにより、例えば、表カバーの複数個所から発光して表示性を向上させることができ、且つ、透過領域の数よりも導光手段の数を少なくすることができるので、部品点数を減少させて製造コストを減少させることができる。
【０１１８】
付記２に記載の表示灯付発信機によれば、正面側発光手段が発光した光を側面側に向かって導光手段内に拡散させる拡散手段を備えることにより、例えば、導光手段全体にて光を一様に導光することができるので、あらゆる方向に対して表示灯付発信機を目立たせることができ、表示性を向上させることができる。
【０１１９】
付記３に記載の表示灯付発信機によれば、導光手段が収容領域を備えることにより、例えば、少なくとも側面側発光手段を収容領域に収容することができるので、側面側発光手段を設けるために表示灯付発信機全体の厚みを厚くすることが不要となり、表示灯付発信機のコンパクト化を図ることができる。また、側面側発光手段が発光した光を入射させる入射面を備えることにより、例えば、側面側発光手段からの光を導光手段に確実に入射させることができるために、導光手段にて比較的強い強度の光を導光することができるので、あらゆる方向に対して表示灯付発信機を目立たせることができ、表示性を向上させることができる。
【０１２０】
付記４に記載の表示灯付発信機によれば、入射面が、複数の側面側発光手段と対向するように、導光手段の径方向における相互にずれた位置であり、且つ、導光手段の周方向における相互にずれた位置に複数設けられていることにより、例えば、複数の側面側発光手段を相互にずらして設けることができるので、複数の側面側発光手段を実装するための要素（例えば、端子として機能するいわゆるランド等）が干渉することを防止して、複数の側面側発光手段を密集して実装することができ、表示灯付発信機のコンパクト化を図ることができる。
【０１２１】
付記５に記載の表示灯付発信機によれば、第１の周方向に沿って発光する第１の側面側発光手段が発光した光を入射させる第１の入射面と、第２の周方向に沿って発光する第２の側面側発光手段が発光した光を入射させる第２の入射面とを備えることにより、例えば、第１の周方向及び第２の周方向の両方からの光を導光手段が導光することができるので、導光手段全体にて光を一様に導光し、且つ、比較的強い強度の光を導光することができるために、あらゆる方向に対して表示灯付発信機を目立たせることができ、表示性を向上させることができる。
【０１２２】
付記６に記載の表示灯付発信機によれば、取付手段が導光手段の内側に設けられていることにより、例えば、取付手段の形状にとらわれずに表示灯付発信機の外形を決定することができるので、表示灯付発信機の設計の自由度を向上させることができる。また、例えば、導光手段の外周部分全体において導光することができるので、表示灯付発信機のあらゆる方向に発光することができるために、あらゆる方向に対して表示灯付発信機を目立たせることができ、表示性を向上させることができる。
【符号の説明】
【０１２３】
１  表カバー
２  ライトガイド
３  発光部
５  部品板
１１  正面部
１２  側面部
１３  透過領域
１４  非透過領域
１５  開閉開口部
１６  表示板
１７  露出開口部
２１  上側収容領域
２２  下側収容領域
２３  ライトガイド側位置決め部
２４  ライトガイド側取付部
３１  上側発光部
３２  下側発光部
４１  表示灯基板
４２  保護板
４３  押さえばね
４４  スイッチ
５１  基板対向部
５２  基板非対向部
５３  部品板側ライトガイド用螺合部
５４  部品板側位置決め部
６１  発信機基板
６２  基板カバー
７１  拡散部
７１ａ  溝中心部
７２  入射部
８１  正面発光部
８２  側面発光部
９１  板金
１００  表示灯付発信機
１３１  左側透過領域
１３２  右側透過領域
１４１  中心側非透過領域
１４２  上側非透過領域
１４３  下側非透過領域
１４４  側面側非透過領域
４１１  反射層
４１２  基板側位置決め部
７２１  第１外周入射部
７２２  第１内周入射部
７２３  第２外周入射部
７２４  第２内周入射部
８２１  第１外周側面発光部
８２２  第１内周側面発光部
８２３  第２外周側面発光部
８２４  第２内周側面発光部
Ｓ１１  部品板用固定ねじ
Ｓ１２  ライトガイド用固定ねじ
【図１】
2019008404.tif 000003
【図２】
2019008404.tif 000004
【図３】
2019008404.tif 000005
【図４】
2019008404.tif 000006
【図５】
2019008404.tif 000007
【図６】
2019008404.tif 000008
【図７】
2019008404.tif 000009
【図８】
2019008404.tif 000010
【図９】
2019008404.tif 000011
【図１０】
2019008404.tif 000012